(57)【要約】【課題】効率良く送受信アンテナの切り換えを行い、送受信信号の品質を維持するダイバシティシステムを提供する。【解決手段】受信時には、アンテナ２ａを受信回路３ａへ、アンテナ２ｂを受信回路３ｂへ接続するように選択スイッチＡ１を切り換えて、信号を受信する。この時、ＲＳＳＩ検出回路１８ａ、１８ｂにより算出された「ＲＳＳＩ１」と「ＲＳＳＩ２」とをダイバシティ選択回路１９が比較し、もし「ＲＳＳＩ１」が大きければ、受信回路３ａの出力信号が復調回路へ入力されるように、選択スイッチＢ１１を切り換える。また、「ＲＳＳＩ２」が大きければ、受信回路３ｂの出力信号が復調回路へ入力されるように、選択スイッチＢ１１を切り換える。一方、送信時は、直前の受信時に、選択スイッチＢ１１を介して復調回路へ出力信号を出力していた受信回路に接続されたアンテナへ、送信回路４を接続するように、選択スイッチＡ１を切り換える。【選択図】  図１
2004193997.tif 000002
【特許請求の範囲】
【請求項１】
複数のアンテナと、該アンテナの数と同数の複数の系統の受信回路と、１系統の送信回路を備えた無線装置のダイバシティシステムであって、
前記複数のアンテナのそれぞれを、前記複数の受信回路の中の対応する受信回路へ接続するか、前記複数のアンテナのいずれかを前記送信回路へ接続するかを切り換え可能な第１の選択手段と、
前記複数の受信回路の出力信号のいずれかを選択し、該出力信号を復調するための復調回路へ出力可能な第２の選択手段と、
前記複数の受信回路に１対１で対応して設けられると共に、前記複数の受信回路のそれぞれから分岐された信号により、前記アンテナで受信される信号の信号強度を算出する複数の信号強度算出手段と、
信号の受信時には、前記第１の選択手段を切り換えて、前記複数の受信回路とそれぞれに対応する前記アンテナとを接続すると共に、前記複数の信号強度算出手段のそれぞれから前記信号強度を取得し、更に前記第２の選択手段を切り換えて、該信号強度が最も強い受信回路の出力信号を前記復調回路へ出力し、信号の送信時には、前記第１の選択手段を切り換えて、直前の信号の受信時に、前記信号強度が最も強かった前記受信回路に接続された前記アンテナへ、前記送信回路を接続する切り換え制御手段と
を備えたことを特徴とするダイバシティシステム。
【請求項２】
前記切り換え制御手段は、受信が開始されてから所定期間後に、前記送信回路に接続された前記アンテナを、対応する前記受信回路に接続するように、前記第１の選択手段を制御する
ことを特徴とする請求項１に記載のダイバシティシステム。
【請求項３】
前記信号強度算出手段が、アナログ信号の状態で前記受信回路から分岐された信号により、前記信号強度を算出する
ことを特徴とする請求項１、または請求項２に記載のダイバシティシステム。
【発明の詳細な説明】
【０００１】
【発明の属する技術分野】
この発明は、送受信機を備えた無線機のダイバシティシステムに関する。
【０００２】
【従来の技術】
例えば、ＴＤＤ方式を用いた無線通信は、マルチパスの影響下にある無線通信機のアンテナの場所や角度により、受信信号レベルが大きく変動するため、より高い受信レベルを得る方式として、アンテナのダイバシティシステムは有効とされている。
従来、このような送受信機を備えた無線機のダイバシティシステムにおいては、受信時に使用したアンテナを送信時にも使用するように複数の選択スイッチを設けて、送受信信号の経路を制御するものがある。このシステムは、例えばＴＤＤ方式を用いた無線通信において、受信時に使用したアンテナを送信時にも使用することで、同一周波数上で送受信を行うＴＤＤ方式を用いた無線通信の特性を利用し、受信時の良好な空間経路によって相手方に送信信号を送信することができる（例えば、特許文献１参照。）。
【０００３】
【特許文献１】
特開平０９−０１８４００号公報
【０００４】
【発明が解決しようとする課題】
しかし、従来のダイバシティシステムでは、送信機側の送信信号の経路に、送受信を切り換えるための選択スイッチが挿入されると共に、受信時に使用したアンテナを送信時にも使用するための選択スイッチが挿入されるため、無線機としての効率が悪化すると共に、複数用意されたアンテナ毎に送信用の増幅回路が設けられているため、更に電源効率が悪化するという問題があった。
【０００５】
本発明は、上記問題点に鑑みてなされたもので、最小限の回路構成で効率良く送受信アンテナの切り換えを行い、送受信信号の品質を維持することができるダイバシティシステムを提供することを目的とする。
【０００６】
【課題を解決するための手段】
上記課題を解決するために、請求項１の発明に係るダイバシティシステムは、複数のアンテナ（例えば実施の形態のアンテナ２ａ、２ｂ）と、該アンテナの数と同数の複数の系統の受信回路（例えば実施の形態の受信回路３ａ、３ｂ）と、１系統の送信回路（例えば実施の形態の送信回路４）を備えた無線装置のダイバシティシステムであって、前記複数のアンテナのそれぞれを、前記複数の受信回路の中の対応する受信回路へ接続するか、前記複数のアンテナのいずれかを前記送信回路へ接続するかを切り換え可能な第１の選択手段（例えば実施の形態の選択スイッチＡ１）と、前記複数の受信回路の出力信号のいずれかを選択し、該出力信号を復調するための復調回路へ出力可能な第２の選択手段（例えば実施の形態の選択スイッチＢ１１）と、前記複数の受信回路に１対１で対応して設けられると共に、前記複数の受信回路のそれぞれから分岐された信号により、前記アンテナで受信される信号の信号強度を算出する複数の信号強度算出手段（例えば実施の形態のＲＳＳＩ検出回路１８ａ、１８ｂ）と、信号の受信時には、前記第１の選択手段を切り換えて、前記複数の受信回路とそれぞれに対応する前記アンテナとを接続すると共に、前記複数の信号強度算出手段のそれぞれから前記信号強度を取得し、更に前記第２の選択手段を切り換えて、該信号強度が最も強い受信回路の出力信号を前記復調回路へ出力し、信号の送信時には、前記第１の選択手段を切り換えて、直前の信号の受信時に、前記信号強度が最も強かった前記受信回路に接続された前記アンテナへ、前記送信回路を接続する切り換え制御手段（例えば実施の形態のダイバシティ選択回路１９）とを備えたことを特徴とする。
【０００７】
以上の構成を備えたダイバシティシステムは、信号の受信時に、各アンテナから受信した信号の信号強度を、それぞれ対応する信号強度算出手段から取得し、これを切り換え制御手段において比較することで、切り換え制御手段がどのアンテナを受信に使用するかを決定し、それに合わせて第１、第２の選択手段を切り換える。また、信号の送信時には、直前の信号の受信時に、第２の選択手段が選択していた受信回路に接続されたアンテナを、送信に使用するアンテナとして決定し、第１の選択手段を切り換えて、該アンテナと送信回路とを接続する。これにより、信号の送信に際し、直前の受信時に使用したアンテナを送信にも使用することができる。
【０００８】
請求項２の発明に係るダイバシティシステムは、請求項１に記載のダイバシティシステムにおいて、前記切り換え制御手段は、受信が開始されてから所定期間後に、前記送信回路に接続された前記アンテナを、対応する前記受信回路に接続するように、前記第１の選択手段を制御することを特徴とする。
以上の構成を備えたダイバシティシステムは、ＴＤＤ方式の無線通信システムにおいて、相手からの信号を受信後、それに対する返送信号を送信するまでの１送受信バースト期間は、送信アンテナ及び受信アンテナを同一のものとすることができる。また、その後は受信待機状態とすることができる。
【０００９】
請求項３の発明に係るダイバシティシステムは、請求項１、または請求項２に記載のダイバシティシステムにおいて、前記信号強度算出手段が、アナログ信号の状態で前記受信回路から分岐された信号により、前記信号強度を算出することを特徴とする。
以上の構成を備えたダイバシティシステムは、信号を復調せず、アナログ信号の状態で受信回路から分岐された信号を用いて信号強度を算出するので、信号強度の算出時間が短くなり、短時間で使用するアンテナを切り換えることができるようになる。
【００１０】
【発明の実施の形態】
以下、図面を参照して本発明の実施の形態について説明する。なお、本実施の形態では、本発明のダイバシティシステムを、ＴＤＤ方式の無線通信システムであって、相手からの信号を受信後、それに対する返送信号を送信するまでを１送受信バースト動作とする無線通信システムに利用する場合を一例として説明するが、本発明のダイバシティシステムは、他のＴＤＤ方式の無線通信システムにおいても利用することができる。
【００１１】
図１は、一実施の形態のダイバシティシステムの構成を示すブロック図である。
図１において、選択スイッチＡ１には送受信において共用可能なアンテナ２ａ、２ｂが接続されると共に、２つの受信回路３ａ、３ｂと送信回路４とが接続されており、選択スイッチＡ１は、５端子４接点の切り換えにより、２つの受信回路３ａ、３ｂに対する受信アンテナの選択と送信回路４に対する送信アンテナの選択を行い、アンテナ２ａから受信した信号を受信回路３ａへ入力し、アンテナ２ｂから受信した信号を受信回路３ｂへ入力すると共に、送信回路４の出力する信号を、アンテナ２ａ、２ｂのいずれかへ接続し、送信回路４の出力する信号をアンテナ２ａ、２ｂのいずれかから送信する。
【００１２】
また、受信回路３ａは受信された信号を増幅するプリアンプ５ａと、所望の受信信号帯域の信号を抽出するバンドパスフィルタ６ａと、受信信号のＲＦ周波数を、局部発信信号を用いて、それより低いＩＦ周波数またはベースバンド周波数へ変換する周波数変換器７ａと、周波数変換後の信号から受信信号を抽出するバンドパスフィルタ８ａと、バンドパスフィルタ８ａの出力する受信信号からカップリングによりその一部を分岐する抵抗９１ａを備えたカップラ９ａと、バンドパスフィルタ８ａの出力する受信信号を増幅するポストアンプ１０ａとを備えている。
【００１３】
一方、受信回路３ｂは、受信回路３ａを構成する各構成要素と同等の特性を備えた、プリアンプ５ｂと、バンドパスフィルタ６ｂと、周波数変換器７ｂと、バンドパスフィルタ８ｂと、抵抗９１ｂを備えたカップラ９ｂと、ポストアンプ１０ｂとを備えており、受信回路３ａと受信回路３ｂは、同一特性の受信回路を実現している。
また、受信回路３ａと受信回路３ｂの出力は、両者の出力の一方を選択出力する選択スイッチＢ１１に入力されており、受信回路３ａと受信回路３ｂの出力は、いずれか一方が選択されて復調回路（図示せず）へ入力される。
【００１４】
また、送信回路４は、変調回路（図示せず）からの信号を増幅するプリアンプ１２と、所望の送信信号帯域の信号を抽出するバンドパスフィルタ１３と、送信信信号のＩＦ周波数またはベースバンド周波数を、局部発信信号を用いて、それより高いＲＦ周波数へ変換する周波数変換器１４と、周波数変換後の信号から送信信号を抽出するバンドパスフィルタ１５と、バンドパスフィルタ１５の出力する送信信号を増幅するポストアンプ１６とを備えている。
なお、本実施の形態のダイバシティシステムでは、周波数変換器７ａ、７ｂ、１４に共通の局部発振器１７が接続され、送受信の周波数は同一の周波数が用いられる。
【００１５】
また、本実施の形態のダイバシティシステムは、カップラ９ａにより分岐するアンテナ２ａで受信した信号から、ＲＳＳＩ（Received Signal Strength Indicator）を計算するＲＳＳＩ検出回路１８ａと、同様にカップラ９ｂにより分岐するアンテナ２ｂで受信した信号から、ＲＳＳＩを計算するＲＳＳＩ検出回路１８ｂとを備えている。
【００１６】
更に、本実施の形態のダイバシティシステムは、ＲＳＳＩ検出回路１８ａにより算出した受信回路３ａ側のＲＳＳＩである「ＲＳＳＩ１」と、ＲＳＳＩ検出回路１８ｂにより算出した受信回路３ｂ側のＲＳＳＩである「ＲＳＳＩ２」とを用いて、選択スイッチＡ１、あるいは選択スイッチＢ１１の切り換えの制御を行うダイバシティ選択回路１９を備えており、ダイバシティ選択回路１９は、選択スイッチＡ１を制御するための信号「Ａｎｔｅｎｎａ  ｓｅｌｅｃｔ１」、「Ａｎｔｅｎｎａ  ｓｅｌｅｃｔ２」により、選択スイッチＡ１の切り換えを制御する。また、ダイバシティ選択回路１９は、選択スイッチＢ１１を制御するための信号「Ａｎｔｅｎｎａ  ｓｅｌｅｃｔ３」により、選択スイッチＢ１１の切り換えを制御する。
【００１７】
なお、ダイバシティ選択回路１９に入力される送受信切換信号「ＴＸ／ＲＸ」は、受信信号を受信せずに送信信号のみ出力する場合に、使用するアンテナを強制的に固定するための信号である。更に、ダイバシティ選択回路１９には、回路を動作させるためのクロック信号「ＣＬＫ」が入力される。
また、選択スイッチＡ１は「Ａｎｔｅｎｎａ  ｓｅｌｅｃｔ１」、「Ａｎｔｅｎｎａ  ｓｅｌｅｃｔ２」により、具体的には以下の表１に示すように制御され、選択スイッチＢ１１は「Ａｎｔｅｎｎａ  ｓｅｌｅｃｔ３」により、以下の表２に示すように制御される。
【００１８】
【表１】
2004193997.tif 000003
【００１９】
【表２】
2004193997.tif 000004
【００２０】
次に、図面を参照して、ダイバシティ選択回路１９について説明する。
図２は、ダイバシティ選択回路１９の構成を示すブロック図であって、図３は、ダイバシティ選択回路１９の動作を示すタイミングチャートである。
まず、図２を参照してダイバシティ選択回路１９の構成について説明すると、ＲＳＳＩ比較・判別回路２１は、ＲＳＳＩ検出回路１８ａ、１８ｂから取り込まれた「ＲＳＳＩ１」「ＲＳＳＩ２」を比較・判別して「Ａｎｔｅｎｎａ  ｓｅｌｅｃｔ１」、「Ａｎｔｅｎｎａ  ｓｅｌｅｃｔ２」、「Ａｎｔｅｎｎａ  ｓｅｌｅｃｔ３」を生成する回路である。
【００２１】
具体的には、ＲＳＳＩ１またはＲＳＳＩ２について、時間的に早く取り込まれた方、及び後述する比較信号により比較された、その大きさが大きい方（受信した信号の信号強度の強い方）を選択するものとする。なお、時間的に早く取り込まれた方を選択するのは、最短距離で到達した電波は減衰が小さく、信号の電力強度が強いからである。
【００２２】
また、ダイバシティ選択回路１９は、ＲＳＳＩ比較・判別回路２１による「Ａｎｔｅｎｎａ  ｓｅｌｅｃｔ１」、「Ａｎｔｅｎｎａ  ｓｅｌｅｃｔ２」、「Ａｎｔｅｎｎａ  ｓｅｌｅｃｔ３」の出力時間を制御するカウンタ回路２２と、ＲＳＳＩ比較・判別回路２１で受信した「ＲＳＳＩ１」、「ＲＳＳＩ２」に対応してカウンタ回路２２の始動と停止を制御すると共に、強制的に送信アンテナを固定する場合には入力された「ＴＸ／ＲＸ」に基づいてカウンタ回路２２を制御するカウンタ制御回路２３とを備えている。
【００２３】
更に、ＲＳＳＩ比較・判別回路２１と、カウンタ回路２２と、カウンタ制御回路２３との接続について説明すると、ＲＳＳＩ比較・判別回路２１からカウンタ制御回路２３へは、ＲＳＳＩが受信されたことを示すＲＳＳＩ受信信号「Ｓ１」が入力され、カウンタ制御回路２３からカウンタ回路２２へは、カウンタ回路２２の始動と停止を制御するためのカウンタ制御信号「Ｓ２」が入力されている。
【００２４】
一方、カウンタ回路２３からは、カウンタ制御回路２３へ、クロック停止を指示するＣＬＫ停止信号「Ｓ３」が入力されると共に、ＲＳＳＩ比較・判別回路２１へ、「ＲＳＳＩ１」と「ＲＳＳＩ２」の比較を指示する比較信号「Ｓ４」と、カウンタ回路２２のカウント値に基づいて、「Ａｎｔｅｎｎａ  ｓｅｌｅｃｔ１」、「Ａｎｔｅｎｎａ  ｓｅｌｅｃｔ２」の生成時間を指示するための送受信回路切換信号「Ｓ５」と、信号を受信してから返送信号の送信が完了する１送受信バースト期間が終了後、ダイバシティ選択回路１９をリセットして、再び受信ダイバシティが可能な状態（受信待機状態）にするためのリセット信号「Ｓ６」とが入力されている。
【００２５】
次に、図３に示すタイミングチャートを参照して、ダイバシティ選択回路１９の動作を具体的に説明する。なお、図３に示すタイミングチャートは、受信時にアンテナ２ｂを選択した場合の動作である。
まず、初期状態の時刻ｔ０では、「Ａｎｔｅｎｎａ  ｓｅｌｅｃｔ１」、「Ａｎｔｅｎｎａ  ｓｅｌｅｃｔ２」は、両方とも”１”の状態で、それぞれアンテナ２ａで受信した信号が受信回路３ａへ、アンテナ２ｂで受信した信号が受信回路３ｂへ入力され、「Ａｎｔｅｎｎａ  ｓｅｌｅｃｔ３」は、”１”の状態で、選択スイッチＢ１１では、受信回路２ａの出力が選択出力されている。
【００２６】
次に、時刻ｔ１においてＲＳＳＩ比較・判別回路２１が出力するＲＳＳＩ受信信号「Ｓ１」が立ち上がると、カウンタ制御回路２３が出力するカウンタ制御信号「Ｓ２」が”０”から”１”へ切り替わり、カウンタ回路２２のカウントが開始される。
これに対応して、時刻ｔ２には、カウンタ回路２２のカウント値”１”で正のパルス状の比較信号「Ｓ４」がＲＳＳＩ比較・判別回路２１へ出力されて、アンテナ２ｂで受信された信号を復調するために、ＲＳＳＩ比較・判別回路２１から出力される「Ａｎｔｅｎｎａ  ｓｅｌｅｃｔ３」が”１”から”０”に切り替わり、選択スイッチＢ１１では、受信回路３ｂの出力が選択される。なお、この時点で「Ａｎｔｅｎｎａ  ｓｅｌｅｃｔ１」、「Ａｎｔｅｎｎａ  ｓｅｌｅｃｔ２」は、両方とも”１”の状態で、それぞれアンテナ２ａで受信した信号が受信回路３ａへ、アンテナ２ｂで受信した信号が受信回路３ｂへ入力されている。
【００２７】
一方、カウンタ回路２２では、受信が完了するタイミングに合わせて、カウント値が所定のカウント値になると、時刻ｔ３において送受信回路切換信号「Ｓ５」が”０”から”１”に切り替わる。
ＲＳＳＩ比較・判別回路２１では、送受信回路切換信号「Ｓ５」によって送受信が切り替わることが入力されると、送信バースト期間直前の受信バースト期間において、「Ａｎｔｅｎｎａ  ｓｅｌｅｃｔ３」により、選択スイッチＢ１１では受信回路３ｂの出力が選択されていたことに基づき、「Ａｎｔｅｎｎａ  ｓｅｌｅｃｔ１」のみを”１”から”０”に切り換えて、送信時のアンテナとしてアンテナ２ｂを使用するように、選択スイッチＡ１を制御する。
【００２８】
そして、信号を受信してから返送信号の送信が完了する１送受信バースト期間に対応する時間だけ、カウンタ回路２２がカウントされ、カウント値が所定のカウント値になると、時刻ｔ４においてカウンタ回路２２からカウンタ制御回路２３へ負のパルス状のＣＬＫ停止信号「Ｓ３」が出力され、これに対応して時刻ｔ５において、ダイバシティ選択回路１９をリセットして、再び受信ダイバシティが可能な状態にするための正のパルス状のリセット信号「Ｓ６」が出力され、「Ａｎｔｅｎｎａ  ｓｅｌｅｃｔ１」、「Ａｎｔｅｎｎａ  ｓｅｌｅｃｔ２」は、両方とも”１”の状態で、それぞれアンテナ２ａで受信した信号が受信回路３ａへ、アンテナ２ｂで受信した信号が受信回路３ｂへ入力され、「Ａｎｔｅｎｎａｓｅｌｅｃｔ３」は、”１”の状態で、受信回路２ａの出力が選択スイッチＢ１１で選択出力された初期状態に復帰する。
【００２９】
なお、上述の実施の形態ではアンテナと受信回路が２系統の場合を説明したが、アンテナの数と受信回路の数とが同数であれば、アンテナ及び受信回路は何系統あっても良い。その場合、選択スイッチＡ１と選択スイッチＢ１１は、切り換え接点の数がアンテナ及び受信回路の数に合わせて増えるものとする。
【００３０】
また、上述の実施の形態の説明は、アンテナ２ｂで受信された信号を復調する場合について説明したが、アンテナ２ａで受信された信号を復調する場合も同様であり、その場合、受信が完了して時刻ｔ３において、送受信回路切換信号「Ｓ５」が”０”から”１”に切り替わり、送受信が切り替わることがＲＳＳＩ比較・判別回路２１に入力されると、ＲＳＳＩ比較・判別回路２１は、送信バースト期間直前の受信バースト期間において、「Ａｎｔｅｎｎａ  ｓｅｌｅｃｔ３」により、選択スイッチＢ１１では受信回路３ａの出力が選択されていたことに基づき、「Ａｎｔｅｎｎａ  ｓｅｌｅｃｔ２」のみを”１”から”０”に切り換えて、送信時のアンテナとしてアンテナ２ａを使用するように、選択スイッチＡ１を制御する。
【００３１】
以上説明したように、本実施の形態のダイバシティシステムは、まず信号の受信に際し、選択スイッチＡ１がアンテナ２ａ、２ｂをそれぞれ受信回路３ａ、３ｂに接続した状態において、カップラ９ａ、９ｂにより受信回路３ａ、３ｂから取得した信号について、そのＲＳＳＩをＲＳＳＩ検出回路１８ａ、１８ｂにより算出する。そして、算出されたＲＳＳＩをダイバシティ選択回路１９において比較することにより、受信回路３ａ、３ｂのどちらの出力信号を復調回路へ入力するかを決定し、選択スイッチＢ１１を切り換える。
【００３２】
これに対し、信号の送信に際しては、直前の受信時に、選択スイッチＢ１１が受信回路３ａの出力信号を選択していた場合は、ダイバシティ選択回路１９が、選択スイッチＡ１のみを切り換えて、直前の受信時に使用したアンテナ２ａと送信回路４とを接続するようにする。そして、ダイバシティ選択回路１９は、カウンタ回路２２により、所定期間、送信アンテナ及び受信アンテナを同一のものとするように制御する。これにより、選択スイッチＡ１のみの切り換えで、直前の受信時に使用したアンテナを送信にも使用し、特にＴＤＤ方式の無線通信システムにおいて、相手からの信号を受信後、それに対する返送信号を送信するまでの１送受信バースト期間は、送信アンテナ及び受信アンテナを同一のものとすることができる。また、その後は受信待機状態とすることができる。
【００３３】
従って、送信時には選択スイッチＡ１のみの通過で送信信号をアンテナに供給することができ、信号の減衰を最小限に抑制することができると共に、送信バースト期間直前の受信バースト期間における良好な空間経路を想定して送信アンテナを選択するため、送信信号の品質が向上し、送信時におけるデータ信号の再送制御を減少させることができる。更に、本発明のダイバシティシステムを備えた無線機を移動体通信用として使用する際に、周辺空間の状況が変化し、空間経路が変化しても、受信待機状態時に再びその場所における有効な送受信用のアンテナを選択できる構成となっているため、どの場所でも通信速度を低下させずに通信を行うことができるという効果が得られる。
【００３４】
【発明の効果】
以上の如く、請求項１に記載のダイバシティシステムによれば、信号の送信に際し、第１の選択手段のみを切り換えて、直前の受信時に使用したアンテナと送信回路とを接続することにより、直前の受信時に使用したアンテナを送信にも使用することができる。
従って、送信時に送信する信号が通過する選択手段は、第１の選択手段のみとなるため、信号の減衰を最小限に抑制することができると共に、送信期間直前の受信期間における良好な空間経路を想定できる送信アンテナによって送信することで送信信号の品質が向上し、送信時におけるデータ信号の再送制御が減少することとなり、無線機自体の効率を向上させると共に、通信速度の低下を防止することができるという効果が得られる。
【００３５】
請求項２に記載のダイバシティシステムによれば、ＴＤＤ方式の無線通信システムにおいて、相手からの信号を受信後、それに対する返送信号を送信するまでの１送受信バースト期間は、送信アンテナ及び受信アンテナを同一のものとすることができる。また、その後は受信待機状態とすることができる。
従って、本発明のダイバシティシステムを備えた無線機を移動体通信用として使用する際に、周辺空間の状況が変化し、空間経路が変化しても、受信待機状態時に再び各アンテナの選択を行うことにより、その場所における有効な送受信用のアンテナを選択できるため、どの場所でも通信速度を低下させずに通信を行うことができるという効果が得られる。
【００３６】
請求項３に記載のダイバシティシステムによれば、信号強度の算出時間が短くなり、短時間で使用するアンテナを切り換えることができるようになる。
従って、アンテナ切り換え時に信号の始まりのデータを取りこぼすようなことがなくなり、送受信の信号品質が向上するため、再送制御等の無駄な動作が減少し、無線機自体の効率を向上させると共に、通信速度の低下を防止することができるという効果が得られる。
【図面の簡単な説明】
【図１】本発明の一実施の形態によるダイバシティシステムの構成を示すブロック図である。
【図２】同実施の形態のダイバシティシステムに用いられるダイバシティ選択回路の構成を示すブロック図である。
【図３】同実施の形態のダイバシティシステムに用いられるダイバシティ選択回路の動作を示すタイミングチャートである。
【符号の説明】
１    選択スイッチＡ
２ａ、２ｂ    アンテナ
３ａ、３ｂ    受信回路
４    送信回路
５ａ、５ｂ    プリアンプ
６ａ、６ｂ    バンドパスフィルタ
７ａ、７ｂ    周波数変換器
８ａ、８ｂ    バンドパスフィルタ
９ａ、９ｂ    カップラ
１０ａ、１０ｂ    ポストアンプ
１１    選択スイッチＢ
１２    プリアンプ
１３    バンドパスフィルタ
１４    周波数変換器
１５    バンドパスフィルタ
１６    ポストアンプ
１７    局部発振器
１８ａ、１８ｂ    ＲＳＳＩ検出回路
１９    ダイバシティ選択回路
２１    ＲＳＳＩ比較・判別回路
２２    カウンタ回路
２３    カウンタ制御回路
９１ａ、９１ｂ    抵抗
【図１】
2004193997.tif 000005
【図２】
2004193997.tif 000006
【図３】
2004193997.tif 000007